(57)【要約】      （修正有）【課題】４０ｍｍ幅の掛止穴を有しないベルトを使用した場合においても、ベルトをシッカリと確実に保持できるフィットベルトバックルを提供する。【解決手段】バックル２１は、内側の両端に一対の支持片２２を有するバックル本体２３と、支持片の間に回動可能に取り付けられるベルト押圧部材２５とからなり、ベルト押圧部材は、下部側の両端に筒状の軸受部２８を有し上部側に複数の突条２９を備えるコロ部材３０と、軸受部の間に配設されてバックル本体をコロ部材側に付勢するバネ材３１と、ベルトの端部を固着するコロ受け兼ベルト取付金具３２と、から構成され、コロ受け兼ベルト取付金具は、上部側の両側に一対の支持部３４が設けられ、支持部には、小孔３４ａが形成され、支持片には孔部２２ａが形成され、軸部２６が挿通されて、ベルト押圧部材が取り付けられる。軸受部の長さは９．０〜９．４ｍｍ、軸部の直径は２．８〜３．２ｍｍに形成されている。【選択図】図４
0003214592.tif 000002
【実用新案登録請求の範囲】
【請求項１】
幅が４０ｍｍの掛止穴を有しないベルトの端部に設けられる衣服用ベルトのバックルであって、
該バックルは、内側の両端に一対の支持片を有するバックル本体と、前記支持片の間に回動可能に取り付けられるベルト押圧部材とからなり、
該ベルト押圧部材は、
下部側の両端に筒状の軸受部を有し上部側に複数の突条を備えるコロ部材と、
前記軸受部の間に配設されて前記バックル本体を前記コロ部材側に付勢するバネ材と、
前記ベルトの端部を固着するコロ受け兼ベルト取付金具と、から少なくとも構成され、
該コロ受け兼ベルト取付金具は、上部側の両側に一対の支持部が設けられ、該支持部には、小孔が形成されており、
前記支持片に形成される孔部と、前記支持部の前記小孔とが沿って配設され、前記支持片間の前記孔部同士に渡って軸部が挿通されて、前記ベルト押圧部材が前記バックル本体に対して回動自在に取り付けられており、
前記軸受部の長さが９．０ｍｍから９．４ｍｍの範囲に形成され、
前記軸部の直径が２．８ｍｍから３．２ｍｍの範囲に形成されていること
を特徴とするバックル。
【請求項２】
前記支持片の厚みが１．３ｍｍから１．７ｍｍの範囲に形成されていること
を特徴とする請求項１に記載のバックル。
【考案の詳細な説明】
【技術分野】
【０００１】
本考案は、衣服用ベルトのバックルに関するものであり、更に詳しくは、掛止穴のないタイプのベルトの端部に設けられているバックル（以下「フィットベルトバックル」とも言う）に関するものである。
【背景技術】
【０００２】
従来、掛止穴のないタイプのベルトの幅は、３０ｍｍから３５ｍｍ（以下「従来のベルト幅」と称する）のものが一般に製造又は販売されており、この従来のベルト幅のベルトに設けられているフィットベルトバックルとしては、次のような構成のものが知られている。
【０００３】
図１から図４に示すように、このフィットベルトバックル１は、内側の両端に一対の支持片２を有するバックル本体３と、支持片２の間に回動可能に取り付けられ挿通したベルト４を所望の位置で保持し且つ保持状態を開放可能なベルト押圧部材５とからなる（図２参照）。
【０００４】
支持片２には、軸部６を挿通させる孔部２ａが形成されており（図４参照）、また、支持片２の厚みＬ２は、１．３ｍｍに形成されている（図５（Ａ）参照）。
【０００５】
バックル本体３は、一対の支持片２と離隔した位置にゲート状のガイド部７が設けられており、ガイド部７の内側にベルト４の自由端部４ａ側を挿通させる（図２及び図５（Ａ）参照）。
【０００６】
ベルト押圧部材５は、下部側の両端に筒状の軸受部８を有し上部側に複数の突条９を備えるコロ部材１０と、軸受部８の間に配設されてバックル本体３をコロ部材１０側に付勢するバネ材１１と、ベルト４の固定端部４ｂを固定するコロ受け兼ベルト取付金具１２とから構成される（図４及び図２参照）。また、軸受部８の長さＬ７は、４．２ｍｍに形成されている（図６（Ａ）参照）。
【０００７】
コロ受け兼ベルト取付金具１２は、上部側の両側に一対の支持部１４が設けられており、支持部１４の中央には、小孔１４ａが形成されている。この小孔１４ａと、コロ部材１０の軸受部８と、バネ材１１の中央部とが一線状に配設される。
【０００８】
そして、支持片２の孔部２ａと、支持部１４の小孔１４ａとを沿わせて配設して、軸部６を両方の孔部２ａの間に渡って挿通させて、ベルト押圧部材５をバックル本体３に対して回動自在に取り付けている。また、軸部６の直径Ｌ１２は、２．５ｍｍに形成されている（図９（Ｂ）参照）。
【０００９】
このような構成のフィットベルトバックル１は、ベルト４の自由端４ａ側をガイド部７の内側に挿通させて、さらにバックル本体３の内側とコロ部材１０の突条９との間を挿通させてから、バックル本体３を手で操作してベルト押圧部材５を回動させ、突条９をベルト４に押圧させることで、ベルト４を所望の位置に保持できる仕組みである。
【００１０】
なお、実用新案登録第３２０５４７７号公報には、ベルトの損傷を防止できる衣料用ベルトのバックルが開示されている（特許文献１参照）。
【先行技術文献】
【特許文献】
【００１１】
【特許文献１】実用新案登録第３２０５４７７号公報
【考案の概要】
【考案が解決しようとする課題】
【００１２】
この従来例のフィットベルトバックル１においては、従来のベルト幅（３０ｍｍから３５ｍｍ）のベルトを用いるのであれば、ベルトの保持状態が良好であるものの、これよりも幅広の４０ｍｍのベルトを用いるように改良して使用した場合には、コロ部材１０及び軸部６に撓みが生じることとなり、その結果、ベルトを保持する強度が低下するという問題点を有している。
【００１３】
さらには、ベルトを保持する強度が低下すると、バックル本体３と突条９との間を、ベルトが擦れた状態でズレることとなり、その結果ベルト面が傷ついたり剥離することがあるというという問題点を有している。
【００１４】
従って、従来例におけるフィットベルトバックル１においては、４０ｍｍ幅のベルトを使用した場合においても、ベルトをシッカリと確実に保持できて、ベルトの損傷を起こさないようにすることに解決しなければならない課題を有している。
【課題を解決するための手段】
【００１５】
前記従来例の課題を解決するための本考案の要旨は、幅が４０ｍｍの掛止穴を有しないベルトの端部に設けられる衣服用ベルトのバックルであって、該バックルは、内側の両端に一対の支持片を有するバックル本体と、前記支持片の間に回動可能に取り付けられるベルト押圧部材とからなり、該ベルト押圧部材は、下部側の両端に筒状の軸受部を有し上部側に複数の突条を備えるコロ部材と、前記軸受部の間に配設されて前記バックル本体を前記コロ部材側に付勢するバネ材と、前記ベルトの端部を固着するコロ受け兼ベルト取付金具と、から少なくとも構成され、該コロ受け兼ベルト取付金具は、上部側の両側に一対の支持部が設けられ、該支持部には、小孔が形成されており、前記支持片に形成される孔部と、前記支持部の前記小孔とが沿って配設され、前記支持片間の前記孔部同士に渡って軸部が挿通されて、前記ベルト押圧部材が前記バックル本体に対して回動自在に取り付けられており、前記軸受部の長さが９．０ｍｍから９．４ｍｍの範囲に形成され、前記軸部の直径が２．８ｍｍから３．２ｍｍの範囲に形成されていることである。
【００１６】
また、前記支持片の厚みが１．３ｍｍから１．７ｍｍの範囲に形成されている構成としたものである。
【考案の効果】
【００１７】
本考案に係るバックルによれば、コロ部材の軸受部の長さＬ７が従来のバックルよりも約５ｍｍ長めの９．０ｍｍから９．４ｍｍの範囲、望ましくは９．２ｍｍに形成され、さらに、軸部の直径Ｌ１２が従来のバックルよりも約０．５ｍｍ長めの２．８ｍｍから３．２ｍｍの範囲、望ましくは３ｍｍに形成されていることによって、コロ部材及び軸部の強度が向上して強固になる。
従って、４０ｍｍ幅のベルトを使用した場合でも、コロ部材及び軸部に撓みが生じることがなく、ベルトを保持する強度が低下しない。そして、ベルトをシッカリと確実に保持できるので、ベルトのズレによる損傷が生じないという優れた効果を奏する。
【００１８】
また、バックル本体の支持片の厚みＬ２が従来のバックルよりも約０．２ｍｍ厚めの１．３ｍｍから１．７ｍｍの範囲、望ましくは１．５ｍｍに形成されていることによって、コロ部材及び軸部が大きめに形成されていることと相俟って、ベルトを保持する強度が低下することなく、ベルトをシッカリと確実に保持できるという優れた効果を奏する。
【図面の簡単な説明】
【００１９】
【図１】バックルの正面図である。
【図２】バックルの底面図である。
【図３】バックルの右側面図である。
【図４】バックルの各構成部材を分離して示す斜視図である。
【図５】（Ａ）バックル本体の右側面図である。（Ｂ）バックル本体の底面図である。
【図６】（Ａ）コロ部材の左側面図である。（Ｂ）コロ部材の底面図である。
【図７】バネ材の底面図である。
【図８】コロ受け兼ベルト取付金具の右側面図である。
【図９】（Ａ）軸部の正面図である。（Ｂ）軸部の左側面図である。
【考案を実施するための形態】
【００２０】
次に、本考案の実施の形態について図面を参照しながら説明する。なお、理解を容易にするために、従来例で説明した図面と同一の図面（図１から図４）を用いて、従来例に対応する部分には、従来例と同一の符号を付けて説明する。
【００２１】
まず、図１から図４において、符号２１は、幅が４０ｍｍのベルトの端部に設けられるフィットベルトバックルを示し、このバックル２１は、内側の両端に一対の支持片２２を有するバックル本体２３と、支持片２２の間に回動可能に取り付けられ挿通したベルト４を所望の位置で保持し且つ保持状態を開放可能なベルト押圧部材２５とから構成される。
【００２２】
支持片２２には、軸部２６を挿通させる孔部２２ａが形成されており（図４参照）、孔部２２ａの孔径Ｌ１は、従来のベルト幅（３０ｍｍから３５ｍｍ）のベルトを用いるバックル（以下「従来のバックル」と言う）よりも０．５ｍｍ大きい３．３５ｍｍに形成されている（図５（Ｂ）参照）。また、支持片２２の厚みＬ２は、従来のバックルよりも約０．２ｍｍ大きい１．３ｍｍから１．７ｍｍの範囲、望ましくは１．５ｍｍに形成されている（図５（Ａ）参照）。
【００２３】
バックル本体２３は、図１に示すように、左右方向の長さＬ３が約５５ｍｍであり、上下方向の長さＬ４が約４４．５ｍｍである。
【００２４】
また、バックル本体２３は、図２及び図３に示すように、一対の支持片２２と離隔した位置にゲート状のガイド部２７が設けられており、ガイド部２７の内側にベルト４の自由端部４ａ側を挿通させる。ガイド部２７の幅Ｌ５は約６．２ｍｍである（図３参照）。
【００２５】
ベルト押圧部材２５は、下部側の両端に筒状の軸受部２８を有し上部側に複数の突条２９を備えるコロ部材３０と、軸受部２８の間に配設されてバックル本体２３をコロ部材３０側に付勢するバネ材３１と、ベルト４の固定端部４ｂを固定するコロ受け兼ベルト取付金具３２とから構成される（図２及び図４参照）。
【００２６】
コロ部材３０の長さＬ６は、従来のバックルよりも１０ｍｍ長い３７ｍｍに形成されており、軸受部２８の長さＬ７は、従来のバックルよりも約５ｍｍ長い９．０ｍｍから９．４ｍｍの範囲、望ましくは９．２ｍｍに形成されている（図６（Ａ）参照）。また、軸受部２８の孔径Ｌ８は、従来のバックルよりも０．５ｍｍ大きい３．１ｍｍに形成されている（図６（Ｂ）参照）。
【００２７】
バネ材３１は、長さが１８．６ｍｍであり、バネ材３１の内径Ｌ９は、従来のバックルよりも０．５ｍｍ大きい３．７ｍｍに形成されている（図７参照）。
【００２８】
コロ受け兼ベルト取付金具３２は、上部側の両側に一対の支持部３４が設けられており、支持部３４の中央には、小孔３４ａが形成されている。この小孔３４ａと、コロ部材３０の軸受部２８と、バネ材３１の中央部とが一線状に配設される。
【００２９】
支持部３４の厚みＬ１０は、従来のバックルよりも０．２ｍｍ大きい１．４５ｍｍに形成されている（図８参照）。
【００３０】
そして、支持片２２の孔部２２ａと、支持部３４の小孔３４ａとを沿わせて配設し、軸部２６を両方の孔部２２ａの間に渡って挿通させて、ベルト押圧部材２５をバックル本体２３に対して回動自在に取り付けている。
【００３１】
軸部２６の長さＬ１１は、従来のバックルよりも１０．４ｍｍ長い４３．４ｍｍに形成されており（図９（Ａ）参照）、軸部２６の直径Ｌ１２は、従来のバックルよりも約０．５ｍｍ太い２．８ｍｍから３．２ｍｍの範囲、望ましくは３ｍｍに形成されている（図９（Ｂ）参照）。なお、図９（Ａ）中の符号２６ａは、切欠き部を示し、切欠き部２６ａの存在によって、孔部２２ａの間に渡って挿通させ易くなる。
【００３２】
このような構成のフィットベルトバックル２１は、ベルト４の自由端４ａ側をガイド部２７の内側に挿通させて、さらにバックル本体２３の内側とコロ部材３０の突条２９との間を挿通させてから、バックル本体２３を手で操作してベルト押圧部材２５を回動させ、突条２９をベルト４に押圧させることで、ベルト４を所望の位置に保持できる仕組みである。
【００３３】
以上のように構成されるフィットベルトバックル２１は、コロ部材３０の軸受部２８の長さＬ７（図６（Ａ）参照）が従来のバックルよりも約５ｍｍ長めの９．０ｍｍから９．４ｍｍの範囲、望ましくは９．２ｍｍに形成され、さらに、軸部２６の直径Ｌ１２（（図９（Ｂ）参照）が従来のバックルよりも約０．５ｍｍ長めの２．８ｍｍから３．２ｍｍの範囲、望ましくは３ｍｍに形成されていることによって、コロ部材３０及び軸部２６の強度が向上して強固になる。
従って、幅が４０ｍｍのベルトを使用した場合でも、コロ部材３０及び軸部２６に撓み生じることがなく、ベルトを保持する強度が低下しない。そして、ベルトをシッカリと確実に保持できるので、ベルトのズレによる損傷が生じない。
【００３４】
また、バックル本体２３の支持片２２の厚みＬ２（図５（Ａ）参照）が従来のバックルよりも約０．２ｍｍ厚めの１．３ｍｍから１．７ｍｍの範囲、望ましくは１．５ｍｍに形成されていることによって、コロ部材３０及び軸部２６が大きめに形成されていることと相俟って、ベルトを保持する強度が低下することなく、ベルトをシッカリと確実に保持できる。
【符号の説明】
【００３５】
１    フィットベルトバックル
２    支持片
２ａ  孔部
３    バックル本体
４    ベルト
４ａ  自由端部
４ｂ  固定端部
５    ベルト押圧部材
６    軸部
７    ガイド部
８    軸受部
９    突条
１０  コロ部材
１１  バネ材
１２  コロ受け兼ベルト取付金具
１４  支持部
１４ａ小孔
２１  フィットベルトバックル
２２  支持片
２２ａ孔部
２３  バックル本体
２５  ベルト押圧部材
２６  軸部
２６ａ切欠き部
２７  ガイド部
２８  軸受部
２９  突条
３０  コロ部材
３１  バネ材
３２  コロ受け兼ベルト取付金具
３４  支持部
３４ａ小孔
【図１】
0003214592.tif 000003
【図２】
0003214592.tif 000004
【図３】
0003214592.tif 000005
【図４】
0003214592.tif 000006
【図５】
0003214592.tif 000007
【図６】
0003214592.tif 000008
【図７】
0003214592.tif 000009
【図８】
0003214592.tif 000010
【図９】
0003214592.tif 000011